(57)【要約】【課題】一度に数多くの有害動物を確実に捕獲することができ、群れて行動する習性の野生動物に有効な捕獲システムを提供する。【解決手段】野生の有害動物を捕獲する捕獲設備（Ｔ）と、その捕獲設備を有害動物の捕獲状態に作動させるための制御装置（１０）と、上記捕獲設備の内部や出入口（１２）の周辺などに居る有害動物を撮影し、その撮影した画像をデジタル情報として通信ネットワーク（Ｎ）経由で送信するネットワークカメラ（Ｃ）と、そのネットワークカメラから受信した上記デジタル情報を閲覧できるユーザー情報端末（Ｍ）とを備え、上記ネットワークカメラが撮影したライブ画像のデジタル情報を、その捕獲設備の据付け場所から遠く離れた遠隔地に居る監視者が、そのユーザー情報端末から閲覧して、上記捕獲設備の制御装置を遠隔操作することにより、その捕獲設備を有害動物の捕獲状態に作動させるように定めた。【選択図】図４
2014014310.tif 000002
【特許請求の範囲】
【請求項１】
野生の有害動物を捕獲する捕獲設備と、
その捕獲設備を有害動物の捕獲状態に作動させるための制御装置と、
上記捕獲設備の内部や出入口の周辺などに居る有害動物を撮影し、その撮影した画像をデジタル情報として通信ネットワーク経由で、ユーザー情報端末へ送信するネットワークカメラと、
そのネットワークカメラから受信した上記デジタル情報を閲覧できる携帯電話器やタブレット端末、パソコンなどのユーザー情報端末とを備え、
上記ネットワークカメラが撮影したライブ画像のデジタル情報を、その捕獲設備の据付け場所から遠く離れた遠隔地に居る監視者が、そのユーザー情報端末から閲覧して、上記捕獲設備の制御装置を遠隔操作することにより、その捕獲設備を有害動物の捕獲状態に作動させることを特徴とする有害動物捕獲用の遠隔操作システム。
【発明の詳細な説明】
【技術分野】
【０００１】
本発明は鹿や猪などの有害動物を一度に数多く捕獲するための有用な遠隔操作システムに関する。
【背景技術】
【０００２】
野生の鹿や猪、その他の群れて行動する有害動物を、一度に数多く捕獲するための装置／システムとして、特許文献１、２に記載の２種が提案されている。
【先行技術文献】
【特許文献】
【０００３】
【特許文献１】特許第４１４５７０８号公報
【特許文献２】特開２０１２−５５２３２号公報
【発明の概要】
【発明が解決しようとする課題】
【０００４】
ところが、上記特許文献１に開示されている捕獲装置の場合、光電センサーの感知時点から時間的猶予をおいて、その時差（通常１０分以内）を時差設定器に設定し、光電センサーによる動物の感知時点に遅延させて、檻の扉を落下・閉鎖するようになっており、その檻内に入る動物の様子や個数などをリアルタイムに監視し乍ら、上記扉を落下・閉鎖させるべく、操作する方法ではないため、有害動物を一度に数多く捕獲できる確実性・信頼性に劣る。
【０００５】
他方、特許文献２に記載されている捕獲システムでは、捕獲現場の様子を撮影した映像に基いて、遠隔地からリアルタイムに監視し、無線通信での遠隔操作により、囲いワナの閉塞部を作動させるようになっているため、有害動物を一度に数多く捕獲できる確実性・信頼性がある反面、その無線通信機器が基地局を介さないで直接に無線通信できる特定小電力トランシーバーとして、その周波数の限られた電波は近距離通信しか行えず、障害を受けやすいため、捕獲現場から約１００ｍ離れた場所へ特別な監視小屋を設置して、そこに監視者の待機する必要があり、何時・何処でも便利良く使用することができない。
【課題を解決するための手段】
【０００６】
本発明はこのような課題の改良を目的としており、その目的を達成するために、請求項１では野生の有害動物を捕獲する捕獲設備と、
【０００７】
その捕獲設備を有害動物の捕獲状態に作動させるための制御装置と、
【０００８】
上記捕獲設備の内部や出入口の周辺などに居る有害動物を撮影し、その撮影した画像をデジタル情報として通信ネットワーク経由で、ユーザー情報端末へ送信するネットワークカメラと、
【０００９】
そのネットワークカメラから受信した上記デジタル情報を閲覧できる携帯電話器やタブレット端末、パソコンなどのユーザー情報端末とを備え、
【００１０】
上記ネットワークカメラが撮影したライブ画像のデジタル情報を、その捕獲設備の据付け場所から遠く離れた遠隔地に居る監視者が、そのユーザー情報端末から閲覧して、上記捕獲設備の制御装置を遠隔操作することにより、その捕獲設備を有害動物の捕獲状態に作動させることを特徴とする。
【発明の効果】
【００１１】
請求項１の上記構成によれば、監視者が自からの携帯電話器やその他のユーザー情報端末を使って、捕獲設備の据付け場所から制限なく離れた遠隔地において、その捕獲設備や有害動物の様子をリアルタイムに観察・把握し乍ら、希望する最も効果的なタイミングのもとに、上記捕獲設備の制御装置（マイクロコントローラー）を操作して、その制御装置から出力する命令信号により、捕獲設備を有害動物の捕獲状態に作動させることができる。
【００１２】
その結果、目的とする鹿や猪などの有害動物を、しかもその大きな個体だけ一度に数多く捕獲することが可能となり、捕獲効率が著しく向上する。目的としない動物種やその小さな個体、人間などが誤って捕獲設備内に閉じ込められるおそれはないので、安全性にも優れる。
【００１３】
更に、ネットワークカメラが具備する状態変化（モーション）の検知機能を利用すれば、その撮影した有害動物のライブ画像（動画）を通信ネットワーク（インターネット）経由で、ユーザー情報端末と瞬時に送受信することができるため、監視者にとって有害動物が捕獲設備の内部へ侵入するまで長時間に亘ってモニタリングしたり、ネットワークカメラへ随時アクセスしたりする必要がなく、そのための労力も軽減できる効果がある。
【図面の簡単な説明】
【００１４】
【図１】本発明に係る有害動物捕獲用の遠隔操作システムに使用される捕獲設備（囲い罠）を例示した全体概略斜面図である。
【図２】図１の部分拡大斜面図である。
【図３】制御ボックスの内部構造を示すブロック図である。
【図４】上記遠隔操作システムの概略構成を示すブロック図である。
【図５】サーバ機能付きネットワークカメラを用いた遠隔操作システムの図４に対応するブロック図である。
【図６】捕獲設備としての別な網罠を示す図１に対応する概略斜面図である。
【図７】図６の平面図である。
【発明を実施するための形態】
【００１５】
以下、図面に基いて本発明の実施形態を詳述すると、その本発明に係る有害動物捕獲用の遠隔操作システムは図１〜４のように、野生の有害動物を捕獲する捕獲設備（トラップユニット）（Ｔ）と、その捕獲設備（Ｔ）を有害動物の捕獲状態に作動させる制御装置（マイクロコントローラー）（１０）と、上記捕獲設備（Ｔ）の内部や周辺に居る有害動物を撮影し、その画像データを通信ネットワーク（インターネット）（Ｎ）経由でユーザー情報端末（Ｍ）へ送信するネットワークカメラ（Ｃ）と、そのネットワークカメラ（Ｃ）から上記画像データを受信し、随時閲覧（モニタリング）できる携帯電話器やタブレット端末、パソコンなどのユーザー情報端末（Ｍ）とを備えている。
【００１６】
そして、捕獲設備（Ｔ）の据付け現場にあるネットワークカメラ（Ｃ）が撮影した有害動物の画像データを、その現場からの遠隔地（一般家庭や市役所、監視センターなど）に居る監視者が、ユーザー情報端末（Ｍ）の表示部（画像出力部）により閲覧し、その情報端末（Ｍ）により上記捕獲設備（Ｔ）の制御装置（１０）を遠隔操作して、その制御装置（１０）から出力する命令信号に基き、捕獲設備（Ｔ）を有害動物の捕獲状態に作動させるようになっている。
【００１７】
上記主要な構成部材のうち、先ず有害動物の捕獲設備（Ｔ）は例えば図１、２のような囲い罠（１１）として、目的の有害動物が出没する現場に据え付け固定すれば良い。図１、２の囲い罠（１１）は群れて行動する野生の鹿にふさわしい設備として、１個の出入口（１２）とその背高い昇降ガイド支柱（開口枠）（１３）に沿って昇降し得る自重落下式の開閉扉（１４）を具備しており、その開閉扉（１４）を監視者が後述の遠隔操作により落下させて、出入口（１２）をすばやく閉鎖し、一度に数多くの鹿を捕獲することができるようになっている。
【００１８】
その場合、上記囲い罠（１１）の壁面は強固な金属製の縁取り骨材（１５）や交錯線条材（１６）又は柵材から、内部全体を透視できるように製作されているが、特にその壁面の上縁部を内向きに折り曲げられた傾斜肩面（１７）や忍び返しなどとして、捕獲時に激しく動き廻る鹿が飛び越えるおそれを予防している。
【００１９】
（１８）は上記囲い罠（１１）の出入口（１２）付近に立設された強固な支柱であって、図２から明白なようにその上端部にはソーラーパネル（１９）が、同じく中途高さ位置には有害動物を監視するネットワークカメラ（Ｃ）と制御ボックス（Ｂ）が、更に下端部には電源ボックス（２０）が各々取り付け固定されている。その電源ボックス（２０）に内蔵されているバッテリ（２１）を、ソーラーパネル（１９）からの自然（太陽）エネルギーによって充電できるようになっているが、そのバッテリ（２１）に代るＡＣ１００Ｖの電源設備を現場に構築しても良い。
【００２０】
又、（２２）は一定長さの扉吊持ワイヤーであって、その一端部が上記出入口（１２）の開閉扉（１４）に連結一体化されており、残る他端部にストッパーピン（２３）が巻き付けられている。（２４）はそのストッパーピン（２３）を囲い罠（１１）の壁面へ押え付け拘束することによって、上記開閉扉（１４）を囲い罠（１１）の出入口（１２）から上昇した開扉状態に仮り止め保持するトリガーであり、これをアクチュエーター（２５）によって進退移動させるようになっている。
【００２１】
その開閉扉用トリガー（２４）のアクチュエーター（２５）は図示実施形態の場合、上記バッテリ（２１）を電源として回転駆動されるモーターであり、その出力軸上のリール（図示省略）に巻き付けられる索条（２６）の先端部が、上記トリガー（２４）に取り付け固定されているのである。
【００２２】
つまり、その開閉扉用トリガー（２４）をアクチュエーター（２５）の作動によって引き戻し後退させれば、上記扉吊持ワイヤー（２２）の先端部にあるストッパーピン（２３）と、トリガー（２４）との交叉する係止状態（仕掛け）が解除されることになる結果、上記出入口（１２）の開閉扉（１４）は自重により落下して、囲い罠（１１）の出入口（１２）を閉扉状態に確保し、有害動物を捕獲することができる。
【００２３】
上記制御ボックス（Ｂ）には図３のような開閉扉用トリガー（２４）のアクチュエーター（モーター）（２５）と、そのアクチュエーター（２５）を作動させる制御装置（マイクロコントローラー）（１０）と、捕獲設備（囲い罠）（Ｔ）に対する有害動物の侵入検知センサー（２７）とが内蔵設置されている。その検知センサー（２７）としては有害動物の動きを検知する焦電型の赤外線センサーや透過型の光電センサー（フォトインタラプタ）などを採用し、これを上記囲い罠（１１）における出入口（１２）の指向状態に設置することが好ましい。
【００２４】
更に、上記ネットワークカメラ（Ｃ）は動画（ライブ画像）の撮影とその画像の光電変換を行えるイメージセンサー（ＣＣＤ／ＣＭＯＳ）を有しており、有害動物の監視用カメラ（例えば赤外線ネットワーク監視カメラ、商品名「Acti ACM-1231 」）として、その捕獲設備（囲い罠）（Ｔ）の内部や出入口（１２）の周辺などを撮影できる指向状態にある。
【００２５】
その場合、上記捕獲設備（Ｔ）に対する有害動物の侵入検知センサー（２７）を設置する代りに、ネットワークカメラ（Ｃ）が具備する画像変化（モーション）の検知機能を用いて、その有害動物が捕獲設備（Ｔ）の内部に侵入したことを検知しても良い。
【００２６】
このような有害動物の監視用ネットワークカメラ（Ｃ）と、上記捕獲設備（Ｔ）を作動させる制御装置（マイクロコントローラー）（１０）は、何れも３Ｇネットワークなどの電話回線（２８）を介して、グローバル通信ネットワーク（インターネット）（Ｎ）に並列接続されている。
【００２７】
他方、先に一言した携帯電話器やタブレット端末、パソコンなどのユーザー情報端末（Ｍ）も、３Ｇネットーワークなどの電話回線（２９）を介して、やはり図４のようにインターネット（Ｎ）へ接続されており、これらのユーザー情報端末（Ｍ）は上記ネットワークカメラ（Ｃ）と互いに双方向での遠隔通信（デジタル情報の送受信）を行えるようになっている。
【００２８】
尚、上記ユーザー情報端末（Ｍ）は図５に基き後述する構成を備えている。ネットワークカメラ（Ｃ）とユーザー情報端末（Ｍ）との相互間において、最終的にデジタル情報の交換が可能であれば、その間に如何なるネットワークやネットワークプロトコルなどが介在してもさしつかえない。
【００２９】
そのため、ネットワークカメラ（Ｃ）により現在撮影している有害動物やその捕獲設備（Ｔ）のライブ画像をデジタル情報（電子メール）として、捕獲設備（Ｔ）の据付け現場から制限なく離れた遠隔地（一般家庭や市役所、監視センターなど）に居る監視者のユーザー情報端末（Ｍ）へ送信することができる。
【００３０】
そして、そのユーザー情報端末（Ｍ）に受信した上記デジタル情報（電子メール）を、その液晶ディスプレイなどの表示部（画像出力部）から閲覧（モニタリング）し、監視者が現況を把握・判断した効果的なタイミングのもとで、上記捕獲設備（Ｔ）の制御装置（１０）をユーザー情報端末（Ｍ）により遠隔操作して、その制御装置（１０）から出力する電気命令信号により、捕獲設備（Ｔ）における開閉扉用トリガー（２４）のアクチュエーター（モーター）（２５）を作動（回転運動）させて、そのトリガー（２４）を解除することにより、その捕獲設備（Ｔ）における出入口（１２）の開閉扉（１４）を即座に落下させ、有害動物を捕獲することができる。
【００３１】
先には内蔵のコンピューター機能（サーバ機能）を有さない比較的安価なネットワークカメラ（Ｃ）として説明したが、図５のような監視用のＣＣＤカメラ（３０）とこれにより撮影された画像を光電変換する画像入力部（３１）、その光電変換された画像をＪＰＥＧやＭＰＥＧなどの形式に圧縮処理する画像処理部（３２）、インターネット（Ｎ）に接続されている通信部（３３）のほか、ＣＰＵなどの中央制御部（３４）と上記ユーザー情報端末（Ｍ）のメールアドレス格納部（３５）、センサー作動検知部（３６）、上記ＣＣＤカメラ（３０）の作動を制御するカメラ制御部（３７）、有害動物の画像や侵入時刻などの各種情報を蓄積する記憶部（３８）なども具備した構成のネットワークカメラ（Ｃ）を採用し、このようなサーバ機能を有するネットワークカメラ（Ｃ）をインターネット（Ｎ）へ直接に接続しても良い。
【００３２】
上記センサー作動検知部（３６）は赤外線センサーなどの侵入検知センサー（２７）と無線で接続されており、これによって有害動物が捕獲設備（Ｔ）の内部へ侵入したことを検知したとき、そのセンサー作動検知部（３６）から出力する検知情報に基いて、上記カメラ制御部（３７）がＣＣＤカメラ（３０）の作動を制御する。その制御内容としては撮影回数やカメラの方向変換、ズームなどの作動を挙げることができる。尚、ネットワークカメラ（Ｃ）に内蔵されている上記構成部材が、すべてバスラインで接続されていることは言うまでもない。
【００３３】
上記ユーザー情報端末（Ｍ）は要するに画像の閲覧（モニタリング））とデジタル通信を行える機器として、図５のようなＣＰＵなどから成る中央制御部（３９）と、上記インターネット（Ｎ）に接続されている通信部（４０）と、タッチパネルやキーなどの操作部（入力部）（４１）と、上記ネットワークカメラ（Ｃ）の画像表示できる画像出力部（表示部）（４２）とを備えており、呼出音や振動を発生し得ることは言うまでもない。
【００３４】
そのため、有害動物やその捕獲設備（Ｔ）の撮影画像を閲覧した監視者が、そのユーザー情報端末（Ｍ）からインターネット（Ｎ）を介して上記ネットワークカメラ（Ｃ）へ、そのネットワークカメラ（Ｃ）から更に捕獲設備（Ｔ）の制御装置（１０）へ、その捕獲設備（Ｔ）における開閉扉用トリガー（２４）のアクチュエーター（モーター）（２５）が有害動物を捕獲すべく作動制御する指示命令を送信（入力）し得る。
【００３５】
ユーザー情報端末（Ｍ）からの命令信号を受信したネットワークカメラ（Ｃ）の中央制御部（３４）が同じ現場にある捕獲設備（Ｔ）の制御装置（１０）へ、上記トリガー（２４）のアクチュエーター（モーター）（２５）が捕獲設備（Ｔ）における出入口（１２）の開閉扉（１４）を落下させるべく、その作動命令信号を入力できるようになっているのである。
【００３６】
次に、本発明の使用による有害動物の捕獲方法を説明すると、その捕獲設備（囲い罠）（Ｔ）を目的とする野生の鹿や猪などの有害動物が出没する場所に据え付けた上、図２のように扉吊持ワイヤー（２２）の先端部を引き出す一方、支柱（１８）上の制御ボックス（Ｂ）からアクチュエーター（モーター）（２５）の索条（２６）を導出させて、その扉吊持ワイヤー（２２）側のストッパーピン（２３）とアクチュエーター（２５）側のトリガー（２４）とを係脱自在に係止させることにより、その捕獲設備（Ｔ）における出入口（１２）の開閉扉（１４）を上昇した開扉状態に保持し、有害動物が侵入できるように準備する。
【００３７】
そして、目的とする有害動物が好む餌を、上記捕獲設備（Ｔ）の内部に設置すると共に、その捕獲設備（Ｔ）に対する有害動物の侵入検知センサー（２７）を出入口（１２）へ指向させ、又支柱（１８）上におけるネットワークカメラ（Ｃ）の就中監視用ＣＣＤカメラ（３０）を同じく出入口（１２）や捕獲設備（Ｔ）の内部に指向させて、その有害動物を撮影できる状態で待機する。
【００３８】
上記準備状態での待機中に、有害動物の侵入検知センサー（２７）又はこれに代る状態変化（モーション）の検知機能を有するネットワークカメラ（Ｃ）が、有害動物の動きに反応して、その捕獲設備（Ｔ）の内部へ侵入したことを検知すると、その有害動物や捕獲設備（Ｔ）がネットワークカメラ（Ｃ）の就中ＣＣＤカメラ（３０）によって撮影される。
【００３９】
しかも、その撮影されたライブ画像はデジタル情報（電子メール）として、上記ネットワークカメラ（Ｃ）からそのメールアドレス格納部（３５）に予じめメールアドレスが登録されているユーザー情報端末（携帯電話器）（Ｍ）へ、送信されることになる。
【００４０】
そして、そのユーザー情報端末（Ｍ）に上記デジタル情報を受信した監視者は、その液晶ディスプレイなどの表示部（画像出力部）（４２）によりライブ画像を閲覧（モニタリング）して、捕獲設備（Ｔ）の内部や出入口（１２）の周辺などの様子、その捕獲設備（Ｔ）に侵入している有害動物の種類・頭数・個体の大きさなどを、自宅や外出先などの遠隔地において、随時全体的に観察・把握することができる。
【００４１】
そこで、監視者は自から判断した適当なタイミングのもとに、そのユーザー情報端末（Ｍ）の操作によりインターネット（Ｎ）経由で上記ネットワークカメラ（Ｃ）へ、そのネットワークカメラ（Ｃ）から更に捕獲設備（Ｔ）の制御装置（１０）へ、アクチュエーター（２５）の作動命令信号を送信（入力）して、その制御装置（１０）から出力する指示信号により、捕獲設備（Ｔ）における開閉扉用トリガー（２４）のアクチュエーター（モーター）（２５）を作動させ、その出入口（１２）を落下した開閉扉（１４）での閉鎖状態に保ち、有害動物を捕獲すれば良い。
【００４２】
上記実施形態の構成によれば、有害動物の侵入検知センサー（２７）又はこれに代る状態変化（モーション）の検知機能を有するネットワークカメラ（Ｃ）が、捕獲設備（Ｔ）に対する有害動物の侵入を検知したとき、そのネットワークカメラ（Ｃ）により有害動物や捕獲設備（Ｔ）を撮影することと、その撮影されたライブ画像データ（デジタル情報／電子メール）をユーザー情報端末（Ｍ）へ送受信することが行われるようになっているため、監視者としては有害動物が捕獲設備（Ｔ）に侵入するまで、長時間に亘ってモニタリングしたり、又ネットワークカメラ（Ｃ）に随時アクセスしたりしなくとも、捕獲設備（Ｔ）の内部や出入口（１２）の周辺などの現況を即座に目視・把握することができる。
【００４３】
又、上記捕獲設備（Ｔ）の囲い罠（１１）は数多くの有害動物を侵入させ得る大きさであり、その侵入の様子や頭数、個体の大きさなどをリアルタイムに監視し乍ら、その監視者のユーザー情報端末（Ｍ）により何時・何処からでも希望するタイミングのもとで、有害動物の捕獲作用を遠隔制御することができるため、特に群れて行動する野生動物の捕獲に役立ち、その捕獲効率の向上と安全性に優れる。
【００４４】
更に、有害動物の画像や侵入時刻などの各種情報が蓄積される記憶部（３８）を備えたネットワークカメラ（Ｃ）の採用により、これから野生動物の種別や侵入時刻、侵入回数、群れ行動などの統計的な情報を収集・学習すれば、その捕獲効率を向上させることが容易となり、特に鹿や猪などの群れて行動する習性がある有害動物の捕獲に役立つ。
【００４５】
上記実施形態では現場に据え付ける捕獲設備（トラップユニット）（Ｔ）として、屋根や天井面と床面がない大型の囲い罠（１１）を示したが、その囲い罠（１１）のみに限らず、大型の箱罠（檻）や潜り罠、足括り罠などの各種を採用することができる。
【００４６】
この点、図６、７は捕獲設備（Ｔ）としての網罠（ドロップネット）（４３）を例示しており、これは多数の支柱（４４）とその支柱（４４）に支持された天井網（４５）とから成る区画内部へ、有害動物を侵入させるようになっているほか、その支柱（４４）の上端部に付属しているアクチュエーター（ソレノイド）（２５）が、上記制御装置（マイクロコントローラー）（１０）と電気配線（４６）を介して接続されている。
【００４７】
そして、その制御装置（１０）のオフ操作によりアクチュエーター（２５）が通電されていないときは、天井網（４５）がその支柱（４４）の上方へ支持された図示の架設状態にあり、上記制御装置（１０）のオン操作によりアクチュエーター（２５）が通電されたときに、同じく天井網（４５）が支柱（４４）に沿い落下して、有害動物を捕獲できるようになっている。
【００４８】
つまり、ネットワークカメラ（Ｃ）の撮影した画像データ（デジタル情報／電子メール）を、ユーザー情報端末（Ｍ）により閲覧（モニタリング）した監視者が、網罠（４３）の据付け現場から離れた遠隔地において、そのユーザー情報端末（Ｍ）により上記制御装置（１０）を遠隔操作して、その制御装置（１０）から出力する命令信号により、上記アクチュエーター（ソレノイド）（２５）への通電をオン・オフ制御するのである。
【００４９】
その場合、上記制御装置（１０）やネットワークカメラ（Ｃ）などの電源としては図３に示したバッテリ（２１）に代えて、ＡＣ１００Ｖの電源設備（４７）を現場へ構築することが望ましい。尚、図６、７の別な実施形態における遠隔操作システムの構成としては、図１〜５に示した上記実施形態のそれと実質的に同一であるため、その図６、７に図１〜５との同一符号を記入するにとどめて、その詳細な説明を省略する。
【符号の説明】
【００５０】
（１０）・制御装置
（１１）・囲い罠
（１２）・出入口
（１３）・昇降ガイド支柱
（１４）・開閉扉
（１５）・縁取り骨材
（１６）・交錯線条材
（１７）・傾斜肩面
（１８）（４４）・支柱
（１９）・ソーラーパネル
（２０）・電源ボックス
（２１）・バッテリ
（２２）・扉吊持ワイヤー
（２３）・ストッパーピン
（２４）・トリガー
（２５）・アクチュエーター
（２６）・索条
（２７）・侵入検知センサー
（２８）・３Ｇネットワーク
（２９）・電話回線
（３０）・ＣＣＤカメラ
（３１）・画像入力部
（３２）・画像処理部
（３３）（４０）・通信部
（３４）（３９）・中央制御部
（３５）・メールアドレス格納部
（３６）・センサー作動検知部
（３７）・カメラ制御部
（３８）・記憶部
（４１）・操作部
（４２）・画像出力部
（４３）・網罠（ドロップネット）
（４５）・天井網
（４６）・電気配線
（４７）・交流電源
（Ｃ）・ネットワークカメラ
（Ｍ）・ユーザー情報端末
（Ｎ）・インターネット
（Ｔ）・捕獲設備
【図１】
2014014310.tif 000003
【図２】
2014014310.tif 000004
【図３】
2014014310.tif 000005
【図４】
2014014310.tif 000006
【図５】
2014014310.tif 000007
【図６】
2014014310.tif 000008
【図７】
2014014310.tif 000009